(57)【要約】【課題】  特に照射範囲の狭いＬＥＤを光源として使用し、尚且つより広範囲に光を照射することができる照明装置を提供する。【解決手段】複数の投光部（１１０）が形成される設置座（１０）と、それぞれ傾斜するように設置される回路板（２１）と、該回路板（２１）に取り付けられる複数のＬＥＤ（２２）とを有する複数の光源モジュール（２０）と、を備え、前記各光源モジュール（２０）は、ＬＥＤ（２２）の光軸が回路板（２１）の下方へ向く面に対して所定の角度となるように該設置座（１０）に設置され、前記各投光部（１１０）に向かって２つのＬＥＤ（２２）より光が照射されることを特徴とする。【選択図】  図２
0003150891.tif 000002
【実用新案登録請求の範囲】
【請求項１】
複数の投光部（１１０）が形成される設置座（１０）と、
それぞれ傾斜するように設置される回路板（２１）と、該回路板（２１）に取り付けられる複数のＬＥＤ（２２）とを有する複数の光源モジュール（２０）と、を備え、
前記各光源モジュール（２０）は、ＬＥＤ（２２）の光軸が回路板（２１）の下方へ向く面に対して所定の角度となるように該設置座（１０）に設置され、
前記各投光部（１１０）に向かって２つのＬＥＤ（２２）より光が照射されることを特徴とするＬＥＤ照明装置。
【請求項２】
前記設置座（１０）における、各投光部（１１０）に対応する位置に中空の灯室（１１）が形成され、該各灯室（１１）における、対応する両側にそれぞれ壁部（１１１）が設けられ、該各壁部（１１１）にはそれぞれ貫通するように開口（１１２）が形成され、該壁部（１１１）の開口（１１２）の対応する位置にそれぞれ、各投光部（１１０）に向かって光を照射する２つのＬＥＤ（２２）が設置されることを特徴とする請求項１に記載のＬＥＤ照明装置。
【請求項３】
前記各灯室（１１）は四角錐台状を呈し、前記各壁部（１１１）に形成される開口（１１２）は、全て同一方向に形成されることを特徴とする請求項２に記載のＬＥＤ照明装置。
【請求項４】
前記設置座（１０）における複数の灯室（１１）はマトリクス状に配列されることを特徴とする請求項３に記載のＬＥＤ照明装置。
【考案の詳細な説明】
【技術分野】
【０００１】
本考案は、特に、より広い面積に光を照射することができるＬＥＤ照明装置に関するものである。
【背景技術】
【０００２】
近年、例えば石油や天然ガスなどの主要なエネルギー資源が枯渇しつつあり、且つ代替エネルギーの開発や、代替エネルギーのエネルギー効率の向上もなかなか進んでいないため、エネルギー資源を節約せざるを得ないのが現状である。また、省エネ対策の１つとして、最初に採り上げられたのは、電気製品の電力利用効率の再検討であり、例えば、現代の生活において不可欠な照明装置の１つとして使用されてきたのが白熱電球であり、この白熱電球は、電力から可視光線への変換効率が５？前後しかなく、他の電力はほとんど熱エネルギーとして失われてしまう。また、白熱電球は熱を放散し、室内温度を高めてしまうことから、例えば冷房などを使用しているときには、更に強める必要がある。
前記従来のランプ類の光源と比較した時、発光可能な半導体素子であるＬＥＤ（発光ダイオード）は、消費電力が低いのみならず、使用寿命が長いという利点があるので、省エネの照明手段として期待されている。
【考案の開示】
【考案が解決しようとする課題】
【０００３】
上述したように、ＬＥＤは長寿命、低消費電力および低発熱などのメリットを有するものであるので、各メーカーはＬＥＤを光源とした照明装置の業界にしのぎを削っている。しかしながら、ＬＥＤは指向性の強い光源であり、光軸における輝度は高いが、光軸の中心をはずれると暗くなってしまうという問題があるので、ＬＥＤは広い照明範囲が求められる照明装置には不向きである。従って、今後の課題としては、照明範囲が狭いという欠点を解決し、ＬＥＤを広い照明範囲を有する照明装置に適用することである。
【０００４】
そこで、案出されたのが本考案であって、照射範囲が狭いＬＥＤを用い、より広範囲に照明光を照射することができる照明装置を提供することを目的としている。
【課題を解決するための手段】
【０００５】
本願の請求項１の考案は、複数の投光部（１１０）が形成される設置座（１０）と、
それぞれ傾斜するように設置される回路板（２１）と、該回路板（２１）に取り付けられる複数のＬＥＤ（２２）とを有する複数の光源モジュール（２０）と、を備え、
前記各光源モジュール（２０）は、ＬＥＤ（２２）の光軸が回路板（２１）の下方へ向く面に対して所定の角度となるように該設置座（１０）に設置され、
前記各投光部（１１０）に向かって２つのＬＥＤ（２２）より光が照射されることを特徴とするＬＥＤ照明装置、を提供する。
【０００６】
本願の請求項２の考案は、前記設置座（１０）における、各投光部（１１０）に対応する位置に中空の灯室（１１）が形成され、該各灯室（１１）における、対応する両側にそれぞれ壁部（１１１）が設けられ、該各壁部（１１１）にはそれぞれ貫通するように開口（１１２）が形成され、該壁部（１１１）の開口（１１２）の対応する位置にそれぞれ、各投光部（１１０）に向かって光を照射する２つのＬＥＤ（２２）が設置されることを特徴とする請求項１に記載のＬＥＤ照明装置、を提供する。
【０００７】
本願の請求項３の考案は、前記各灯室（１１）は四角錐台状を呈し、前記各壁部（１１１）に形成される開口（１１２）は、全て同一方向に形成されることを特徴とする請求項２に記載のＬＥＤ照明装置、を提供する。
【０００８】
本願の請求項４の考案は、前記設置座（１０）における複数の灯室（１１）はマトリクス状に配列されることを特徴とする請求項３に記載のＬＥＤ照明装置、を提供する。
【考案の効果】
【０００９】
本考案は上記の課題を解決するものであり、各灯室における２つのＬＥＤが夫々、対向する方向から投光部に向かって光を照射するので、より広い照明範囲を得ることができる。
【考案を実施するための最良の形態】
【００１０】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【００１１】
図１は本考案に係るＬＥＤ照明装置の第１実施例を示す分解斜視図であり、図２は本考案に係るＬＥＤ照明装置の第１実施例を示す断面図であり、図３は本考案に係るＬＥＤ照明装置の第２実施例を示す斜視図であり、図４は本考案に係るＬＥＤ照明装置の第２実施例を示す分解斜視図であり、図５は本考案に係るＬＥＤ照明装置の第２実施例を示す断面図である。
【００１２】
図１及び図２に示すように、本考案に係る第１実施例は、設置座（１０）と、複数の光源モジュール（２０）とを備え、
前記設置座（１０）は、平面状の板材に複数の中空の灯室（１１）が設けられるものであり、該各灯室（１１）はそれぞれマトリクス状に配列される。また、前記灯室（１１）は四角錐台状に形成され、その底部に投光用の投光部（１１０）が形成される。更に、前記各灯室（１１）における、対向する両側にそれぞれ壁部（１１１）が設けられると共に、該各壁部（１１１）にはそれぞれ、貫通するように開口（１１２）が形成され、該各壁部（１１１）に形成される開口（１１２）は、全て同一方向に形成されるものである。
【００１３】
前記各光源モジュール（２０）は、回路板（２１）と、該回路板（２１）に取り付けられる複数のＬＥＤ（２２）とを有し、該各ＬＥＤ（２２）は、回路板（２１）に形成される回路（図示せず）により給電を受けるものであると共に、その光軸が回路板（２１）の面に対して所定の角度となるよう取り付けられるものである。また、各ＬＥＤ（２２）は、前記設置座（１０）における灯室（１１）に対応するように、所定間隔をおいて一列に回路板（２１）に配列されるものである。
【００１４】
また、前記光源モジュール（２０）は、各ＬＥＤ（２２）が各開口（１１２）に位置するように、壁部（１１１）に固設されるものである。前記各灯室（１１）における、対向する両側に設けられる壁部（１１１）は、投光部（１１０）に対して傾斜する構成であるので、該壁部（１１１）に固設された回路板（２１）におけるＬＥＤ（２２）は前記投光部（１１０）に対して傾斜する。このことから、前記各灯室（１１）における２つのＬＥＤ（２２）が夫々、対向する方向から投光部（１１０）に向かって光を照射するので、より広い照明範囲を得ることができる。
【００１５】
図３及び図４に示すように、本考案に係るＬＥＤ照明装置の第２実施例は、更に筺体（３０）と、透光レンズ（４０）と、放熱ケース（５０）とを備え、該筺体（３０）は、四つの側端から垂直する方向に延出する側壁と、該放熱ケース（５０）と結合するために、該各側壁の上端両側にそれぞれ延設される固定プレート（３１）とを具備する中空の矩形部材であり、その底部には、設置座（１０）のサイズに対応する開口（３２）が形成され、該開口（３２）は、前記複数の灯室（１１）における投光部（１１０）と対応する位置に形成される。
また、前記透光レンズ（４０）は、前記筺体（３０）と設置座（１０）との間に設置されるプレート体である。
【００１６】
図５に示すように、放熱ケース（５０）は、放熱材料からなる箱形の部材であり、その内部には、光源モジュール（２０）が取り付けられた設置座（１０）の上端面の形状に対応する複数の凹穴（５１）が形成されると共に、放熱ケース（５０）の上端面は、放熱面積をより大きくするために、波状に形成され、更に、該放熱ケース（５０）の内部には、該設置座（１０）及び光源モジュール（２０）が放熱ケース（５０）と熱接触するように設置されることから、光源モジュール（２０）の発熱による熱エネルギーが放熱ケース（５０）に伝導して放熱ケース（５０）から周囲へ放散される。
【００１７】
また、前記放熱ケース（５０）の側壁における、前記筺体（３０）の固定プレート（３１）と対応する位置に、該固定プレート（３１）と結合可能な固定プレート（５２）が設けられ、該筺体（３０）の固定プレート（３１）と放熱ケース（５０）の固定プレート（５２）とを結合させることにより、前記設置座（１０）と光源モジュール（２０）と透光レンズ（４０）を、筺体（３０）と放熱ケース（５０）の間に設置する。
【産業上の利用可能性】
【００１８】
本考案は上記の構成を有するので、ＬＥＤを光源とした従来の照明装置における、照射範囲が狭いといった欠点を解決することにより、より広範囲に光を照射できるようにするものである。
【図面の簡単な説明】
【００１９】
【図１】本考案に係るＬＥＤ照明装置の第１実施例を示す分解斜視図である。
【図２】本考案に係るＬＥＤ照明装置の第１実施例を示す断面図である。
【図３】本考案に係るＬＥＤ照明装置の第２実施例を示す斜視図である。
【図４】本考案に係るＬＥＤ照明装置の第２実施例を示す分解斜視図である。
【図５】本考案に係るＬＥＤ照明装置の第２実施例を示す断面図である。
【符号の説明】
【００２０】
１０        設置座
１１        灯室
１１０        投光部
１１１        壁部
１１２      開口
２０        光源モジュール
２１        回路板
２２        ＬＥＤ
３０        筺体
３１、５２        固定プレート
３２        開口
４０        透光レンズ
５０        放熱ケース
５１        凹穴
【図１】
0003150891.tif 000003
【図２】
0003150891.tif 000004
【図３】
0003150891.tif 000005
【図４】
0003150891.tif 000006
【図５】
0003150891.tif 000007